(57)【要約】  【課題】  広角な投写光学系と２枚の平面ミラーとを用いてスクリーン４に斜め投写する構成において、ゴースト光を適切な位置でカットして投写画像の品位低下を回避する。  【解決手段】  投写光学系２から射出される画像光を順次反射させてスクリーンに導く第１の平面ミラーＭＦ１および第２の平面ミラーＭＦ２を設ける。第１の平面ミラーＭＦ１は、スクリーン４よりも投写光学系２側に配置される。投写光学系２は、その光路上で最も第１の平面ミラーＭＦ１側に曲面反射面を持つミラーＭ４を有している。ミラーＭ４と第２の平面ミラーＭＦ２との間、および第１の平面ミラーＭＦ１とスクリーン４との間には、画像投写に不要な光を遮光する遮光板５・６がそれぞれ設けられる。遮光板５・６により、例えば、ミラーＭ４の曲面反射面から射出される画像光のうちで第１の平面ミラーＭＦ１に入射する光路から外れて直接スクリーン４に入射する光がカットされる。【選択図】      図１
2006276336.tif 000002
【特許請求の範囲】
【請求項１】
画像光を射出する投写光学系と、
上記投写光学系から射出される画像光を順次反射させてスクリーンに導く第１の平面ミラーおよび第２の平面ミラーとを備えた画像投写装置であって、
上記第１の平面ミラーは、上記スクリーンよりも上記投写光学系側に配置されており、
上記投写光学系は、その光路上で最も上記第１の平面ミラー側に曲面反射面を持つ反射型光学素子を有しており、
上記反射型光学素子と上記第２の平面ミラーとの間には、画像投写に不要な光を遮光する遮光部材が設けられていることを特徴とする画像投写装置。
【請求項２】
画像光を射出する投写光学系と、
上記投写光学系から射出される画像光を順次反射させてスクリーンに導く第１の平面ミラーおよび第２の平面ミラーとを備えた画像投写装置であって、
上記第１の平面ミラーは、上記スクリーンよりも上記投写光学系側に配置されており、
上記投写光学系は、その光路上で最も上記第１の平面ミラー側に曲面反射面を持つ反射型光学素子を有しており、
上記第１の平面ミラーと上記スクリーンとの間には、画像投写に不要な光を遮光する遮光部材が設けられていることを特徴とする画像投写装置。
【請求項３】
画像光を射出する投写光学系と、
上記投写光学系から射出される画像光を順次反射させてスクリーンに導く第１の平面ミラーおよび第２の平面ミラーとを備えた画像投写装置であって、
上記第１の平面ミラーは、上記スクリーンよりも上記投写光学系側に配置されており、
上記投写光学系は、その光路上で最も上記第１の平面ミラー側に曲面反射面を持つ反射型光学素子を有しており、
上記反射型光学素子と上記第２の平面ミラーとの間、および上記第１の平面ミラーと上記スクリーンとの間には、画像投写に不要な光を遮光する遮光部材がそれぞれ設けられていることを特徴とする画像投写装置。
【請求項４】
上記遮光部材は、上記投写光学系の上記曲面反射面から射出される画像光のうちで上記第１の平面ミラーに入射する光路から外れて上記スクリーンに入射する光を遮光することを特徴とする請求項１から３のいずれかに記載の画像投写装置。
【請求項５】
上記曲面反射面から上記第１の平面ミラーおよび上記第２の平面ミラーを介して上記スクリーンに入射する画像光のうちで、上記スクリーンの最も上記第１の平面ミラー側に入射する光を第１の光とし、上記スクリーンの最も上記第１の平面ミラーとは反対側に入射する光を第２の光とすると、
上記反射型光学素子と上記第２の平面ミラーとの間に設けられる上記遮光部材は、上記第１の光のうちで上記第１の平面ミラーから上記第２の平面ミラーに向かう光と、上記第２の光のうちで上記曲面反射面から上記第１の平面ミラーに向かう光とが交差する位置よりも光路の外側に設けられていることを特徴とする請求項１、３または４に記載の画像投写装置。
【請求項６】
上記遮光部材は、最も上記第１の平面ミラー寄りに設けられていることを特徴とする請求項５に記載の画像投写装置。
【請求項７】
上記曲面反射面から上記第１の平面ミラーおよび上記第２の平面ミラーを介して上記スクリーンに入射する画像光のうちで、上記スクリーンの最も上記第１の平面ミラー側に入射する光を第１の光とし、上記スクリーンの最も上記第１の平面ミラーとは反対側に入射する光を第２の光とすると、
上記第１の平面ミラーと上記スクリーンとの間に設けられる上記遮光部材は、上記第１の光のうちで上記第２の平面ミラーから上記スクリーンに向かう光と、上記第２の光のうちで上記第１の平面ミラーから上記第２の平面ミラーに向かう光とが交差する位置よりも光路の外側に設けられていることを特徴とする請求項２ないし４のいずれかに記載の画像投写装置。
【請求項８】
上記遮光部材は、最も上記第２の平面ミラー寄りに設けられていることを特徴とする請求項７に記載の画像投写装置。
【請求項９】
上記曲面反射面から上記第１の平面ミラーの最も上記スクリーン側に入射する画像光の延長線と上記スクリーンの投写面を含む平面との交点をＡとし、点Ａと上記スクリーンとの最短距離をｄとし、上記距離ｄ方向の上記スクリーンの長さをｈとすると、
０．０２＜ｄ／ｈ＜０．５
を満足することを特徴とする請求項１から８のいずれかに記載の画像投写装置。
【請求項１０】
上記スクリーンの投写面における法線と、上記第２の平面ミラーから上記スクリーンに入射する画像光とのなす角度のうち、最大の角度をθmax度とし、最小の角度をθmin度とすると、
１０＜θmax−θmin＜５０
を満足することを特徴とする請求項１から９のいずれかに記載の画像投写装置。
【発明の詳細な説明】
【技術分野】
【０００１】
本発明は、スクリーンに画像を投写する画像投写装置に関するものであり、特に、投写光学系から射出される画像光を２枚の平面ミラーで順次反射させてスクリーンに導くタイプの画像投写装置に関するものである。
【背景技術】
【０００２】
従来から、投写光学系と２枚の平面ミラーとを用いてスクリーンに画像を投写する装置が種々提案されている。例えば図７は、特許文献１に記載の画像投影装置の概略の構成を示している。この装置は、投写光学系のプリズム１０１と、第１の平面ミラー１０２と、第２の平面ミラー１０３と、遮光板１０４と、スクリーン１０５とを有している。
【０００３】
プリズム１０１は、マイクロフィルムに写し込まれた画像をスクリーン１０５上で回転させるものであり、スクリーン１０５よりも下方に設けられている。第１の平面ミラー１０２は、スクリーン１０５の上方、すなわち、スクリーン１０５に対してプリズム１０１とは反対側に設けられている。第２の平面ミラー１０３は、スクリーン１０５とほぼ対向する位置に設けられている。遮光板１０４は、画像投影光以外の不必要な光を遮光するものであり、プリズム１０１を透過した光に向けて進退可能に設けられ、移動手段（図示せず）によってプリズム１０１の回転に応じて進退移動される。
【０００４】
この構成では、プリズム１０１を透過した光（投影光）は、第１の平面ミラー１０２および第２の平面ミラー１０３にて順に反射され、スクリーン１０５の背面側から小さい入射角でスクリーン１０５に照射される。このとき、プリズム１０１を透過した投影光のうち、プリズム１０１の回転角度に応じてスクリーン１０５の背面（投影面）に至る有害光は、遮光板１０４によって遮光され、スクリーン１０５に投影される画像の視認性が低下するのが回避される。
【特許文献１】特開平５−２４１２３９号公報
【発明の開示】
【発明が解決しようとする課題】
【０００５】
ところで、近年では、画像投写装置の薄型化、軽量化の要求が高まっている。このような薄型で軽量の画像投写装置は、例えば、コンパクトでより広角な投写光学系を用い、かつ、その投写光学系から射出される光を２枚の平面ミラーを介してスクリーンに対して斜め方向から（比較的大きな入射角で）入射させる構成とすることで実現可能である。
【０００６】
ここで、上記の投写光学系は、例えば投写光学系の光路上で最もスクリーン側に曲面反射面（例えば曲面ミラー）を配置することで実現可能である。また、上記の斜め投写は、例えば第１の平面ミラーをスクリーンよりも投写光学系側に配置する一方、第２の平面ミラーを第１の平面ミラーおよびスクリーンの両者とほぼ対向する部分を持つように配置することで実現可能である。
【０００７】
このように投写光学系の最もスクリーン側に曲面ミラーを配置する場合、光学設計上、投写レンズを用いた場合のような光束規制を行うことが困難であるため、曲面ミラーから射出される光のうち、第１の平面ミラーに入射せずにスクリーンに直接入射する光（以下、ゴースト光と称する）も存在する。ゴースト光がスクリーンに入射すると、第２の平面ミラーを介してスクリーンに正規に投写される画像の品位が落ちるので、ゴースト光を適切な位置でカットすることが必要となる。
【０００８】
しかし、広角な投写光学系を用いて斜め投写を行う画像投写装置でゴースト光をカットする構成は未だ実現されてはいない。また、特許文献１の装置は、第１の平面ミラー１０２がスクリーン１０５に対して投写光学系（プリズム１０１）とは反対側に設けられる構成においてゴースト光をカットする構成であり、第１の平面ミラーがスクリーンに対して投写光学系側に設けられる薄型で軽量の画像投写装置とは、その基本的構成が異なっている。したがって、上記画像投写装置においてゴースト光をカットする遮光板を設けるとしても、その遮光板の配置位置について新たに考える必要があり、特許文献１における遮光板１０４の配置の仕方をそのまま上記画像投写装置にストレートに適用することはできない。
【０００９】
本発明は、上記の問題点を解決するためになされたものであり、その目的は、広角な投写光学系と２枚の平面ミラーとを用いてスクリーンに対して斜め投写する構成において、ゴースト光を適切な位置でカットすることより、スクリーンに投写される画像の品位の低下を回避することができる画像投写装置を提供することにある。
【課題を解決するための手段】
【００１０】
本発明の画像投写装置は、画像光を射出する投写光学系と、上記投写光学系から射出される画像光を順次反射させてスクリーンに導く第１の平面ミラーおよび第２の平面ミラーとを備えた画像投写装置であって、上記第１の平面ミラーは、上記スクリーンよりも上記投写光学系側に配置されており、上記投写光学系は、その光路上で最も上記第１の平面ミラー側に曲面反射面を持つ反射型光学素子を有しており、上記反射型光学素子と上記第２の平面ミラーとの間には、画像投写に不要な光を遮光する遮光部材が設けられていることを特徴としている。
【００１１】
また、本発明の画像投写装置は、画像光を射出する投写光学系と、上記投写光学系から射出される画像光を順次反射させてスクリーンに導く第１の平面ミラーおよび第２の平面ミラーとを備えた画像投写装置であって、上記第１の平面ミラーは、上記スクリーンよりも上記投写光学系側に配置されており、上記投写光学系は、その光路上で最も上記第１の平面ミラー側に曲面反射面を持つ反射型光学素子を有しており、上記第１の平面ミラーと上記スクリーンとの間には、画像投写に不要な光を遮光する遮光部材が設けられていることを特徴としている。
【００１２】
また、本発明の画像投写装置は、画像光を射出する投写光学系と、上記投写光学系から射出される画像光を順次反射させてスクリーンに導く第１の平面ミラーおよび第２の平面ミラーとを備えた画像投写装置であって、上記第１の平面ミラーは、上記スクリーンよりも上記投写光学系側に配置されており、上記投写光学系は、その光路上で最も上記第１の平面ミラー側に曲面反射面を持つ反射型光学素子を有しており、上記反射型光学素子と上記第２の平面ミラーとの間、および上記第１の平面ミラーと上記スクリーンとの間には、画像投写に不要な光を遮光する遮光部材がそれぞれ設けられていることを特徴としている。
【００１３】
これらの画像投写装置の構成によれば、投写光学系から射出される画像光は、第１の平面ミラーおよび第２の平面ミラーにて順次反射されて（その光路が順次折り曲げられて）、スクリーンに投写される。
【００１４】
このとき、第１の平面ミラーは、スクリーンよりも投写光学系側に配置されているので、例えば第２の平面ミラーを第１の平面ミラーおよびスクリーンの両者とほぼ対向する部分を持つように配置することができる。これにより、投写光学系から射出される画像光は、第１の平面ミラーおよび第２の平面ミラーにて順に反射されることで、投写光学系からスクリーンまでジグザグに進行する。つまり、投写光学系から第１の平面ミラーに向かう光路と、第２の平面ミラーからスクリーンに向かう光路とが、互いに重なり合うことはない。したがって、この構成では、スクリーンに対して比較的大きな入射角で斜め方向から画像光を入射させることができる。
【００１５】
また、上記の投写光学系は、その光路上で最も第１の平面ミラー側に曲面反射面を持つ反射型光学素子を有しているので、コンパクトでより広角な投写光学系を容易に実現することができる。
【００１６】
このように、本発明の画像投写装置は、コンパクトでより広角な投写光学系を用いて斜め投写を行う構成であるので、装置の薄型化および軽量化を容易に実現することができる。
【００１７】
また、上記反射型光学素子と第２の平面ミラーとの間、および上記第１の平面ミラーと上記スクリーンとの間の少なくとも一方には遮光部材が設けられており、この遮光部材によって画像投写に不要な光がカットされる。ここで、画像投写に不要な光とは、この光がスクリーンに入射することによって、投写光学系から第１の平面ミラーおよび第２の平面ミラーを介してスクリーンに投写される正規の画像の品位を低下させることとなる光（ゴースト光）である。
【００１８】
このようなゴースト光としては、例えば以下のようなものを考えることができる。すなわち、第１に、反射型光学素子の曲面反射面から射出される画像光のうちで第１の平面ミラーに入射する光路から外れて直接スクリーンに入射する光（以下、第１のゴースト光とも称する）である。第２に、反射型光学素子の曲面反射面から射出され、第１の平面ミラーのスクリーンとは反対側の端部、第２の平面ミラーの反射型光学素子側の角部または端部で順に反射されてスクリーンに到達する光（以下、第２のゴースト光とも称する）である。第３に、反射型光学素子の曲面反射面から射出され、第１の平面ミラーのスクリーン側の端部、第２の平面ミラーの反射型光学素子とは反対側の角部または端部で順に反射されてスクリーンに到達する光（以下、第３のゴースト光とも称する）である。なお、この他にも様々なゴースト光が存在する可能性がある。
【００１９】
しかし、本発明では、遮光部材が上記の少なくとも一方の位置に設けられているので、上述した薄型で軽量の装置を実現できる構成においても、投写画像に悪影響を与えるゴースト光を遮光部材によって適切にカットすることができ、投写画像の品位が低下するのを回避することができる。
【００２０】
特に、上記反射型光学素子と第２の平面ミラーとの間、および上記第１の平面ミラーと上記スクリーンとの間の両方に遮光部材を設ける構成とすれば、例えば、一方の遮光部材ではカットできないようなゴースト光を他方の遮光部材でカットできる場合もあり、投写画像の品位が低下するのを確実に回避することができる。
【００２１】
また、２枚の平面ミラー（第１の平面ミラーおよび第２の平面ミラー）で光路を折り返す構成では、第１のゴースト光が発生しやすい。すなわち、投写光学系の曲面反射面から射出される画像光のうちで第１の平面ミラーに入射する光路から外れて直接スクリーンに入射する光が発生しやすい。したがって、遮光部材は、少なくとも第１のゴースト光を遮光するものであることが望ましい。
【００２２】
また、上述した本発明の画像投写装置においては、上記曲面反射面から上記第１の平面ミラーおよび上記第２の平面ミラーを介して上記スクリーンに入射する画像光のうちで、上記スクリーンの最も上記第１の平面ミラー側に入射する光を第１の光とし、上記スクリーンの最も上記第１の平面ミラーとは反対側に入射する光を第２の光とすると、上記反射型光学素子と上記第２の平面ミラーとの間に設けられる上記遮光部材は、上記第１の光のうちで上記第１の平面ミラーから上記第２の平面ミラーに向かう光と、上記第２の光のうちで上記曲面反射面から上記第１の平面ミラーに向かう光とが交差する位置よりも光路の外側に設けられていることが望ましい。
【００２３】
第１の平面ミラーから第２の平面ミラーに向かう光束において第１の光の光路外側には、少なくとも上述した第２のゴースト光が存在する可能性がある。一方、反射型光学素子の曲面反射面から第１の平面ミラーに向かう光束において第２の光の光路外側には、上述した第１のゴースト光が存在する可能性がある。第１のゴースト光および第２のゴースト光のいずれについても、第２の平面ミラーを介してスクリーンに正規に投写される画像の品位を低下させる。
【００２４】
しかし、反射型光学素子と第２の平面ミラーとの間に設けられる遮光部材が、第１の平面ミラーから第２の平面ミラーに向かう第１の光と、反射型光学素子の曲面反射面から第１の平面ミラーに向かう第２の光とが交差する位置よりも光路の外側に設けられていれば、上述した第１のゴースト光と第２のゴースト光との両方を、同一の遮光部材で効率よくカットすることができる。
【００２５】
このとき、上記の遮光部材が、最も第１の平面ミラー寄り（上記交差位置よりも光路の外側で、かつ、上記交差位置に最も近い位置）に設けられていれば、第１のゴースト光と第２のゴースト光とを両方ともカットする効果を最大限に得ることができる。
【００２６】
また、上述した本発明の画像投写装置においては、上記曲面反射面から上記第１の平面ミラーおよび上記第２の平面ミラーを介して上記スクリーンに入射する画像光のうちで、上記スクリーンの最も上記第１の平面ミラー側に入射する光を第１の光とし、上記スクリーンの最も上記第１の平面ミラーとは反対側に入射する光を第２の光とすると、上記第１の平面ミラーと上記スクリーンとの間に設けられる上記遮光部材は、上記第１の光のうちで上記第２の平面ミラーから上記スクリーンに向かう光と、上記第２の光のうちで上記第１の平面ミラーから上記第２の平面ミラーに向かう光とが交差する位置よりも光路の外側に設けられていることが望ましい。
【００２７】
第２の平面ミラーからスクリーンに向かう光束において第１の光の光路外側には、上述した第１のゴースト光が存在する可能性がある。一方、第１の平面ミラーから第２の平面ミラーに向かう光束において第２の光の光路外側には、少なくとも上述した第３のゴースト光が存在する可能性がある。第１のゴースト光および第３のゴースト光のいずれについても、第２の平面ミラーを介してスクリーンに正規に投写される画像の品位を低下させる。
【００２８】
しかし、第１の平面ミラーとスクリーンとの間に設けられる遮光部材が、第２の平面ミラーからスクリーンに向かう第１の光と、第１の平面ミラーから第２の平面ミラーに向かう第２の光とが交差する位置よりも光路の外側に設けられていれば、上述した第１のゴースト光と第３のゴースト光との両方を、同一の遮光部材で効率よくカットすることができる。
【００２９】
このとき、上記の遮光部材が、最も第２の平面ミラー寄り（上記交差位置よりも光路の外側で、かつ、上記交差位置に最も近い位置）に設けられていれば、第１のゴースト光と第３のゴースト光とを両方ともカットする効果を最大限に得ることができる。
【００３０】
また、本発明の画像投写装置においては、上記曲面反射面から上記第１の平面ミラーの最も上記スクリーン側に入射する画像光の延長線と上記スクリーンの投写面を含む平面との交点をＡとし、点Ａと上記スクリーンとの最短距離をｄとし、上記距離ｄ方向の上記スクリーンの長さをｈとすると、
０．０２＜ｄ／ｈ＜０．５
を満足することが望ましい。
【００３１】
ｄ／ｈの値が下限値以下であると、反射型光学素子の曲面反射面から射出される画像光の一部が、第１の平面ミラーに入射する光路から外れてスクリーンに直接入射しやすくなり、ゴースト光（第１のゴースト光）が増大する。その結果、そのゴースト光をカットする遮光部材を高精度に配置する必要が生じる。一方、ｄ／ｈの値が上限値以上であると、距離ｄがスクリーン長さｈに対して相対的に大きくなるので、例えば上記の距離ｄが装置の高さ方向に対応していれば、スクリーン下端から装置下端までの距離（「あご下」とも言う）が増大することになる。
【００３２】
したがって、ｄ／ｈの値の採り得る範囲を上述のように規定することにより、遮光部材の配置精度を緩和することができるとともに、スクリーン下端から装置下端までの距離が増大するのを回避することができる。
【００３３】
また、本発明の画像投写装置において、上記スクリーンの投写面における法線と、上記第２の平面ミラーから上記スクリーンに入射する画像光とのなす角度のうち、最大の角度をθmax度とし、最小の角度をθmin度とすると、
１０＜θmax−θmin＜５０
を満足することが望ましい。
【００３４】
θmax−θminの値が下限値以下であると、大画面化する際に必要な光路が長くなり、装置の厚さ（奥行き）やあご下の増大につながる。一方、θmax−θminの値が上限値以上であると、反射型光学素子の曲面反射面から第１の平面ミラーに入射する光の入射角が大きくなり、投写光学系から射出される光が第１の平面ミラーに入射する光路から外れてスクリーンに入射しやすくなる。その結果、遮光部材を高精度に配置する必要がある。
【００３５】
したがって、θmax−θminの値の採り得る値を上述のように規定することにより、装置の厚さやあご下の増大を回避することができるとともに、遮光部材の配置精度を緩和することができる。
【発明の効果】
【００３６】
本発明によれば、投写光学系の反射型光学素子と第２の平面ミラーとの間、および第１の平面ミラーとスクリーンとの間の少なくとも一方には、遮光部材が設けられている。これにより、コンパクトでより広角な投写光学系を用いて斜め投写を行う構成であっても、投写画像に悪影響を与えるゴースト光を遮光部材によって適切にカットして、投写画像の品位が低下するのを回避することができる。
【発明を実施するための最良の形態】
【００３７】
本発明の実施の一形態について、図面に基づいて説明すれば、以下の通りである。
図１は、本実施形態の画像投写装置の概略の構成を示す断面図である。この画像投写装置は、光変調素子１と、投写光学系２と、光路折り曲げ部３と、スクリーン４と、遮光板５・６とを備えており、縮小側（光変調素子１側）から拡大側（スクリーン４側）の投写面に向かって斜め投写を行う背面投写型の画像投写装置（リアプロジェクタ）を構成している。
【００３８】
なお、以下では、説明の便宜上、投写光学系２に対してスクリーン４が上方に位置しており、下方から上方に向かって光が進行するタイプの画像投写装置について説明するが、本実施形態とは上下方向が逆転した構成の画像投写装置や、本実施形態の上下方向を左右方向とした画像投写装置にも、本発明を適用することは勿論可能である。
【００３９】
光変調素子１は、画像データに応じて入射光を変調し、表示画像に対応する光（以下、画像光と称する）を投写光学系２に供給するものであり、例えばＤＭＤ（digital micromirror device；米国テキサスインスツルメント社製）で構成されている。光変調素子１の前面には、カバーガラスＣＧが配置されている。
【００４０】
なお、光変調素子１は、上記のＤＭＤには限定されず、例えば透過型または反射型の液晶表示素子であってもよく、さらには自発光型の表示素子であってもよい。光変調素子１として自発光型の表示素子を用いれば、照明用の光源等が不要となるため、光学構成をより軽量で小型にすることができる。
【００４１】
投写光学系２は、光変調素子１にて形成された画像光を射出するものであり、複数の反射型光学素子（例えばミラー）や透過型光学素子（例えばレンズ）で構成されている。より詳しくは、投写光学系２は、ミラーＭ１と、レンズＬ１と、ミラーＭ２と、レンズＬ２と、ミラーＭ３・Ｍ４とで構成されている。これらの光学素子は縮小側から拡大側に向かってこの順で配置されている。
【００４２】
ミラーＭ１・Ｍ２は、球面からなる曲面反射面を有する曲面ミラーでそれぞれ構成されている。レンズＬ１・Ｌ２は、縮小側に回転非対称な非球面（いわゆる自由曲面）を有し、拡大側に平面を有する略ノンパワーの回転非対称自由曲面レンズでそれぞれ構成されている。ミラーＭ３・Ｍ４は、反射面が回転非対称自由曲面からなる曲面ミラーでそれぞれ構成されている。ミラーＭ４の曲面反射面は、投写光学系２の光路上で最も拡大側（後述する第１の平面ミラーＭＦ１側）に位置している。
【００４３】
光路折り曲げ部３は、投写光学系２のミラーＭ４の曲面反射面から射出される画像光をその光路を折り曲げてスクリーン４に導くものであり、本実施形態では、第１の平面ミラーＭＦ１と、第２の平面ミラーＭＦ２との２枚の平面ミラーで構成されている。第１の平面ミラーＭＦ１は、スクリーン４よりも下方、すなわち、投写光学系２側に配置されている。第２の平面ミラーＭＦ２は、スクリーン４の上端（投写光学系２とは反対側端部）と第１の平面ミラーＭＦ１の下端（投写光学系２側端部）との間で、スクリーン４および第１の平面ミラーＭＦ１の両者とほぼ対向する部分を持つように配置されている。
【００４４】
遮光板５・６は、画像投写に不要な光を遮光する遮光部材である。本発明は、これらの遮光板５・６を設けた点に最も大きな特徴があるが、その詳細については後述する。
【００４５】
上記の構成によれば、図示しない光源からの光は、光変調素子１に入射する。光変調素子１では、上記光は画像データに応じてＯＮ／ＯＦＦ駆動される各マイクロミラーで反射されることにより空間的に変調される。その際、ＯＮ状態のマイクロミラーで反射した光のみが画像光として投写光学系２に入射する。
【００４６】
投写光学系２に入射した画像光は、ミラーＭ１、レンズＬ１、ミラーＭ２、レンズＬ２、ミラーＭ３・Ｍ４を順に介して光路折り曲げ部３に入射する。そして、上記画像光は、光路折り曲げ部３の第１の平面ミラーＭＦ１および第２の平面ミラーＭＦ２にて順に反射されてその光路が折り曲げられ、スクリーン４の投写面に投写される。
【００４７】
このように、投写光学系２から射出される画像光は、第１の平面ミラーＭＦ１および第２の平面ミラーＭＦ２にて順に反射されることで、投写光学系２からスクリーン４まで上方に向かってジグザグに進行する。つまり、投写光学系２から第１の平面ミラーＭＦ１に向かう光路と、第２の平面ミラーＭＦ２からスクリーン４に向かう光路とが、互いに重なり合うことはない。したがって、この構成では、スクリーン４に対して比較的大きな入射角で画像光が入射する斜め投写を容易に実現することができる。
【００４８】
また、投写光学系２においては、その光路上で最も第１の平面ミラーＭＦ１側に曲面反射面を持つ反射型光学素子（ミラーＭ４）が配置されているので、コンパクトでより広角な投写光学系２を簡単に実現することができる。したがって、上記の斜め投写とも相まって、画像投写装置の薄型化および軽量化を容易に実現することができる。
【００４９】
次に、遮光板５・６の詳細について説明する。
上述したように、遮光板５・６は、画像投写に不要な光を遮光するものである。遮光板５は、ミラーＭ４と第２の平面ミラーＭＦ２との間に配置されており、遮光板６は、第１の平面ミラーＭＦ１とスクリーン４との間に配置されている。なお、遮光板５・６の配置のさらなる詳細については後述する。
【００５０】
ここで、画像投写に不要な光とは、この光がスクリーン４に入射することによって、投写光学系２から第１の平面ミラーＭＦ１および第２の平面ミラーＭＦ２を介してスクリーン４に正規に投写される画像の品位を低下させるゴースト光のことである。このようなゴースト光としては、例えば以下のようなものがある。
【００５１】
第１に、ミラーＭ４の曲面反射面から射出される画像光のうちで第１の平面ミラーＭＦ１に入射する光路から外れて直接スクリーン４に入射する光（第１のゴースト光）である。
【００５２】
第２に、ミラーＭ４の曲面反射面から射出され、第１の平面ミラーＭＦ１の下端部（スクリーン４とは反対側の端部）、第２の平面ミラーＭＦ２の下角部（ミラーＭ４側の角部）または下端部（ミラーＭ４側の端部）で順に反射されてスクリーン４に到達する光（第２のゴースト光）である。
【００５３】
第３に、ミラーＭ４の曲面反射面から射出され、第１の平面ミラーＭＦ１の上端部（スクリーン４側の端部）、第２の平面ミラーＭＦ２の上角部（ミラーＭ４とは反対側の角部）または上端部（ミラーＭ４とは反対側の端部）で順に反射されてスクリーン４に到達する光（第３のゴースト光）である。
【００５４】
第４に、ミラーＭ４の曲面反射面から射出され、第１の平面ミラーＭＦ１の上角部（スクリーン４側の角部）、第２の平面ミラーＭＦ２で順に反射されてスクリーン４に到達する光（第４のゴースト光）である。
【００５５】
第５に、ミラーＭ４の曲面反射面から射出され、第１の平面ミラーＭＦ１の下端部、第２の平面ミラーＭＦ２の下端部、第１の平面ミラーＭＦ１の上端部、第２の平面ミラーＭＦ２で順に反射されてスクリーン４に到達する光（第５のゴースト光）である。
【００５６】
第６に、ミラーＭ４の曲面反射面から射出され、第１の平面ミラーＭＦ１の上端部、第２の平面ミラーＭＦ２の上端部、スクリーン４の上方に位置する筐体内面で順に反射されてスクリーン４に到達するような光（第６のゴースト光）である。
【００５７】
なお、第１の平面ミラーＭＦ１および第２の平面ミラーＭＦ２における上端部や上角部、下端部や下角部は、ここでは各ミラーにおいて正規の投写画像に対応する光が入射する領域の外部に位置しているものとする。また、上述した第１から第６のゴースト光は一例であり、実際にはこれら以外にも様々なゴースト光が存在し得る。
【００５８】
本実施形態のように、ミラーＭ４と第２の平面ミラーＭＦ２との間に遮光板５を配置し、第１の平面ミラーＭＦ１とスクリーン４との間に遮光板６を配置することにより、スクリーン４に入射するおそれのあるゴースト光（上述した各ゴースト光の少なくともいずれかであってもよいし、上記以外の他のゴースト光であってもよい）を遮光板５・６でカットすることができる。したがって、そのようなゴースト光がスクリーン４に正規に投写される画像に影響を及ぼすことがなく、投写画像の品位が低下するのを回避することができる。
【００５９】
特に、本実施形態では、２個の遮光板５・６が設けられているので、遮光部材が１個の場合よりもゴースト光をカットできる効果を確実に得ることができ、投写画像の品位が低下するのを確実に回避することができる。
【００６０】
また、本実施形態のように、第１の平面ミラーＭＦ１および第２の平面ミラーＭＦ２の２枚の平面ミラーで光路を折り返す構成では、ミラーＭ４の曲面反射面から直接スクリーン４に入射する第１のゴースト光が発生しやすいので、遮光板５・６は少なくとも第１のゴースト光を遮光する機能を有していることが望ましい。
【００６１】
ところで、投写光学系２で最も第１の平面ミラーＭＦ１側に配置されるミラーＭ４の曲面反射面から第１の平面ミラーＭＦ１の上端（最もスクリーン４側）に入射する画像光の延長線と、スクリーン４の投写面を含む平面との交点をＡとし、点Ａとスクリーン４との最短距離をｄとし、上記距離ｄ方向のスクリーン４の長さをｈとすると、本実施形態の画像投写装置は、ｄ／ｈの値が、条件式（１）、すなわち、
０．０２＜ｄ／ｈ＜０．５      ・・・（１）
を満足するように設計されている。具体的には、本実施形態では、ｄ＝４２．４２６（ｍｍ）であり、ｈ＝５２３．２７２（ｍｍ）となっている。したがって、ｄ／ｈ＝０．０８１であり、条件式（１）を満足している。
【００６２】
例えば、ｄの値が小さすぎることによってｄ／ｈの値が下限値以下になると、スクリーン４の下端が第１の平面ミラーＭＦ１に近づくため、投写光学系２のミラーＭ４から射出される画像光の一部が、第１の平面ミラーＭＦ１に入射する光路から外れてスクリーン４に直接入射しやすくなる。その結果、第１のゴースト光が増大し、その第１のゴースト光をカットするための遮光板５・６を高精度に配置する必要が生じる。また、スクリーン４の下端が第１の平面ミラーＭＦ１に近づくと、第１の平面ミラーＭＦ１とスクリーン４との間の遮光板６の配置のスペースが小さくなり、配置の自由度が低下する。一方、例えばｄの値が大きすぎることによってｄ／ｈの値が上限値以上になると、「あご下」と呼ばれる、スクリーン４の下端から装置下端までの距離が増大する。
【００６３】
したがって、ｄ／ｈの値が上記範囲に収まるようにｄおよびｈの値を設定することで、遮光板５・６の配置精度を緩和して配置の自由度をある程度確保しながら、あご下が増大するのを回避することができる。
【００６４】
また、スクリーン４への入射角、すなわち、スクリーン４の投写面における法線と第２の平面ミラーＭＦ２からスクリーン４に入射する画像光とのなす角度のうち、最大の角度をθmax（度）とし、最小の角度をθmin（度）とすると、本実施形態の画像投写装置は、θmax−θminの値が、条件式（２）、すなわち、
１０＜θmax−θmin＜５０      ・・・（２）
を満足するように設計されている。具体的には、本実施形態では、θmax＝７１．１２（度）であり、θmin＝４２．００（度）となっている。したがって、θmax−θmin＝２９．１２（度）であり、条件式（２）を満足している。ちなみに、スクリーン４の高さ方向中央位置に入射する画像光の入射角θcenterは、６０．９７（度）である。
【００６５】
なお、斜め投写による装置の薄型化を損なわないようにするためには、θminは、３５〜５７（度）の範囲内に収まっていることが望ましく、θmaxは、６０〜７６（度）の範囲内に収まっていることが望ましい。
【００６６】
θmax−θminの値が下限値以下であると、スクリーン４を大画面化する際に必要な光路が長くなり、装置の厚さ（奥行き）やあご下の増大につながる。一方、θmax−θminの値が上限値以上であると、ミラーＭ４から第１の平面ミラーＭＦ１に入射する光の入射角が大きくなり、ミラーＭ４から射出される光が第１の平面ミラーＭＦ１に入射する光路から外れてスクリーン４に直接入射しやすくなる。その結果、第１のゴースト光が増大し、その第１のゴースト光をカットするための遮光板５・６を高精度に配置する必要が生じる。
【００６７】
したがって、θmax−θminの値が上記範囲に収まるようにθmaxおよびθminを設定することで、装置の厚さやあご下の増大を回避できるとともに、遮光板５・６の配置精度を緩和することができる。
【００６８】
次に、遮光板５・６の配置位置の詳細について説明する。なお、以下では、ミラーＭ４の曲面反射面から第１の平面ミラーＭＦ１および第２の平面ミラーＭＦ２を介してスクリーン４に入射する画像光のうちで、スクリーン４の下端、すなわち、スクリーン４の最も第１の平面ミラーＭＦ１側に入射する光を第１の光Ｐとし、スクリーンの上端、すなわち、スクリーン４の最も第１の平面ミラーＭＦ１とは反対側に入射する光を第２の光Ｑとする。
【００６９】
本実施形態では、遮光板５は、第１の光Ｐのうちで、第１の平面ミラーＭＦ１から第２の平面ミラーＭＦ２に向かう光（以下、光Ｐ１と称する）と、第２の光Ｑのうちで、ミラーＭ４の曲面反射面から第１の平面ミラーＭＦ１に向かう光（以下、光Ｑ１と称する）とが交差する位置よりも光路（光束）の外側に設けられている。しかも、本実施形態では、遮光板５は、光Ｐ１と光Ｑ１とが交差する位置よりも光路（光束）の外側で、かつ、最も第１の平面ミラーＭＦ１寄り（上記交差位置に最も近い位置）に設けられている。その理由は、以下の通りである。
【００７０】
第１の平面ミラーＭＦ１から射出される光のうちで、光Ｐ１よりもミラーＭ４側に光路が外れる光には、上述した第２のゴースト光のみならず、第５のゴースト光が存在し得る。一方、ミラーＭ４の曲面反射面から射出される光のうちで、光Ｑ１よりもスクリーン４側に光路が外れる光には、上述した第１のゴースト光のみならず、第３、第４および第６のゴースト光が存在し得る。
【００７１】
したがって、遮光板５が光Ｐ１と光Ｑ１との交差位置よりも光路外側に配置されていることにより、第１のゴースト光および第２のゴースト光の両方を遮光板５でカットすることができるとともに、その他のゴースト光となり得る光Ｐ１および光Ｑ１の光路外側の光をもカットすることができ、投写画像の品位低下を確実に回避することができる。しかも、第１のゴースト光および第２のゴースト光をはじめとする種々のゴースト光を１個の遮光板５で効率よくカットすることができる。特に、本実施形態では、遮光板５が、上記交差位置よりも光路外側で、かつ、最も第１の平面ミラーＭＦ１寄りに設けられているので、その効果を最大限に得ることができる。
【００７２】
一方、遮光板６は、第１の光Ｐのうちで、第２の平面ミラーＭＦ２からスクリーン４に向かう光（以下、光Ｐ２と称する）と、第２の光Ｑのうちで、第１の平面ミラーＭＦ１から第２の平面ミラーＭＦ２に向かう光（以下、光Ｑ２と称する）とが交差する位置よりも光路（光束）の外側に設けられている。しかも、本実施形態では、遮光板６は、光Ｐ２と光Ｑ２とが交差する位置よりも光路（光束）の外側で、かつ、最も第２の平面ミラーＭＦ２寄り（上記交差位置に最も近い位置）に設けられている。その理由は、以下の通りである。
【００７３】
第２の平面ミラーＭＦ２から射出される光のうちで光Ｐ２よりも光路外側や、第１の平面ミラーＭＦ１から射出される光のうちで光Ｑ２よりも光路外側には、上述した第１のゴースト光のみならず、第３および第６のゴースト光が存在し得る。
【００７４】
したがって、遮光板６が光Ｐ２と光Ｑ２との交差位置よりも光路外側に配置されていることにより、第１のゴースト光および第３のゴースト光の両方を遮光板６でカットすることができるとともに、その他のゴースト光となり得る光Ｐ２および光Ｑ２の光路外側の光をもカットすることができ、投写画像の品位低下を確実に回避することができる。しかも、第１のゴースト光および第３のゴースト光をはじめとする種々のゴースト光を１個の遮光板６で効率よくカットすることができる。特に、本実施形態では、遮光板６が、上記交差位置よりも光路外側で、かつ、最も第２の平面ミラーＭＦ２寄りに設けられているので、その効果を最大限に得ることができる。
【００７５】
また、図２は、本実施形態の画像投写装置において、光路を展開したときの遮光板５・６の配置を模式的に示す説明図である。２個の遮光板５・６を上述したように２箇所に配置することにより、投写光学系２からスクリーン４に導かれる第１の光Ｐよりも光路外側の光（投写画像に悪影響を与える種々のゴースト光）を遮光板５・６のそれぞれでカットすることができるのと同時に、第２の光Ｑよりも光路外側の光（投写画像に悪影響を与える種々のゴースト光）を同じ遮光板５・６でそれぞれカットすることができる。
【００７６】
つまり、本実施形態のように、光路折り曲げ部３を２枚の平面ミラー（第１の平面ミラーＭＦ１および第２の平面ミラーＭＦ２）で構成した場合は、遮光板５・６を２ヶ所に配置しただけで、合計４ヶ所で光束規制を行ったのと同じこととなる。したがって、このような観点からも、光路折り曲げ用の２枚の平面ミラーを用いる構成においては、２個の遮光板５・６を用いることによって、少ない部品点数で効率よく種々のゴースト光をカットすることができると言える。
【００７７】
ところで、本実施形態では、２枚の遮光板５・６を用いる構成について説明したが、用いる遮光部材は１枚だけであってもよい。つまり、図３に示すように、遮光板６を省略して遮光板５だけを配置したり、逆に、図４に示すように、遮光板５を省略して遮光板６だけを配置する構成であっても勿論構わない。この場合であっても、種々のゴースト光を遮光板５または遮光板６でカットすることができ、投写画像の品位の低下を回避できることに変わりはない。遮光板５または遮光板６だけを用いる場合は、特に、少ない部品点数（１枚の遮光部材）でゴースト光をカットして投写画像の品位の低下を回避できるという効果がある。
【００７８】
なお、上述したゴースト光の中でも、例えば第５のゴースト光については、遮光板５ではカットすることができても遮光板６ではカットすることができない。したがって、この第５のゴースト光を確実にカットしたい場合には、遮光板６のみを設ける図４の構成よりも、遮光板５を設ける図１および図３の構成のほうが望ましい。
【００７９】
また、遮光板５を設ける位置としては、ミラーＭ４と第２の平面ミラーＭＦ２との間であれば、例えば、光Ｐ１と光Ｑ１との交差位置よりも光路外側で、かつ、上記交差位置よりもミラーＭ４側または第２の平面ミラーＭＦ２側にシフトした位置でもよい。同様に、遮光板６を設ける位置としては、第１の平面ミラーＭＦ１とスクリーン４との間であれば、例えば、光Ｐ２と光Ｑ２との交差位置よりも光路外側で、かつ、上記交差位置よりもスクリーン４側または第１の平面ミラーＭＦ１側にシフトした位置でもよい。これらの場合、正規の投写画像に悪影響を与えるゴースト光を遮光板５または遮光板６でカットできる効果を最大限に得ることはできないが、上記ゴースト光を一部でもカットできるという点では有効である。
【００８０】
また、本実施形態では、投写光学系が４枚のミラー（ミラーＭ１〜Ｍ４）を有する構成について説明したが、投写光学系が２枚のミラーを有する構成や１枚のみミラーを有する構成であってもよい。
【００８１】
例えば、図５は、４枚のミラーを有する投写光学系２の代わりに、２枚のミラーを有する投写光学系１２を用いた画像投写装置の概略の構成を示す断面図である。この投写光学系１２は、縮小側から順に、透過型光学素子であるレンズＬ１１・Ｌ１２・Ｌ１３・Ｌ１４・Ｌ１５と、反射型光学素子であるミラーＭ１１、Ｍ１２とを有している。なお、レンズＬ１１とレンズＬ１２との間には、絞り（図示せず）が配置されている。
【００８２】
レンズＬ１１は、回転対称非球面レンズである。レンズＬ１２は、負レンズと正レンズとを接合した接合レンズである。レンズＬ１３は正レンズであり、レンズＬ１４は負レンズである。レンズＬ１５は、略ノンパワーの回転非対称非球面レンズである。ミラーＭ１１は、回転対称非球面からなる曲面反射面を有するミラーであり、ミラーＭ１２は、回転非対称非球面からなる曲面反射面を有するミラーである。このような投写光学系１２においては、ミラーＭ１２の曲面反射面が、投写光学系１２の光路上で最も光路折り曲げ部３側（第１の平面ミラーＭＦ１側）に位置している。
【００８３】
一方、図６は、４枚のミラーを有する投写光学系２の代わりに、１枚のみミラーを有する投写光学系２２を用いた画像投写装置の概略の構成を示す断面図である。この投写光学系２２は、縮小側から順に、透過型光学素子であるレンズＬ２１・Ｌ２２・Ｌ２３・Ｌ２４・Ｌ２５・Ｌ２６・Ｌ２７・Ｌ２８と、反射型光学素子であるミラーＭ２１とを有している。なお、レンズＬ２１とレンズＬ２２との間には、絞り（図示せず）が配置されている。
【００８４】
レンズＬ２１は、回転対称非球面レンズである。レンズＬ２２は、負レンズと正レンズとを接合した接合レンズである。レンズＬ２３は、正レンズと負レンズとを接合した接合レンズである。レンズＬ２４・Ｌ２５は正レンズであり、レンズＬ２６は、正レンズと負レンズとを接合した接合レンズである。レンズＬ２７は負レンズであり、レンズＬ２８は、略ノンパワーの回転非対称非球面レンズである。ミラーＭ２１は、回転対称非球面からなる曲面反射面を有するミラーである。このような投写光学系２２においては、ミラーＭ２１の曲面反射面が、投写光学系２２の光路上で最も光路折り曲げ部３側（第１の平面ミラーＭＦ１側）に位置している。
【００８５】
このように、図５や図６の構成であっても、遮光板５・６の少なくとも一方を配置する本実施形態の構成を適用することは可能であり、その結果、ゴースト光をカットして投写画像の品位低下を回避できるという本実施形態の効果と同様の効果を得ることができる。
【実施例】
【００８６】
次に、本実施形態で説明した画像投写装置のコンストラクションデータを以下に示す。なお、以下に示す実施例１ないし３は、それぞれ、本実施形態で示した図１、図５および図６の画像投写装置にそれぞれ対応している。
【００８７】
なお、各実施例のコンストラクションデータは、縮小側の光変調素子１のパネル表示面Ｓｏ（拡大投影における物面に相当する）から拡大側のスクリーン４の投写面Ｓｉ（拡大投影における像面に相当する）までを含めた系の光学配置を示しており、縮小側から数えてｎ番目の面がＳｎ（ｎ＝１、２、３、・・・）である。なお、面Ｓ１・Ｓ２は、パネル表示面Ｓｏを保護するために覆うカバーバラスＣＧの両面であり、投写光学系の一部を成すものではない。
【００８８】
また、各光学面の配置は、その面頂点をローカルな直交座標系(X,Y,Z)の原点(O)として、グローバルな直交座標系(x,y,z)におけるローカルな直交座標系(X,Y,Z)の原点(O)とX軸，Y軸の座標軸ベクトル(VX,VY)の座標データ(x,y,z)とで表されている（単位はｍｍとする）。
【００８９】
ただし、座標系はすべて右手系で定義されており、グローバルな直交座標系(x,y,z)は、パネル表示面Ｓｏのローカルな直交座標系(X,Y,Z)と一致した絶対座標系になっている。したがって、グローバルな直交座標系(x,y,z)の原点(o)は、パネル表示面Ｓｏの中心に位置する原点(O)と同一の点であり、パネル表示面ＳｏでのベクトルVXはパネル表示面Ｓｏの面法線と平行であり、ベクトルVYはベクトルVXに直交するとともにパネル表示面Ｓｏの画面短辺に平行である。また、座標データ(x,y,z)で表された光学面を先頭面として共軸系の一部を成す光学面については、直前の光学面を基準としたX方向の軸上面間隔T'（ｍｍ）で光学面の配置が表されている。
【００９０】
各光学要素の面形状は、その光学面の曲率C0（ｍｍ-1）、曲率半径r（ｍｍ）等で表されている。また、＊印が付された面Ｓｎは、回転対称な非球面であり、その面形状は面頂点を原点(O)とするローカルな直交座標系(X,Y,Z)を用いた以下の式(AS)で定義される。一方、＄印が付された面Ｓｎは、回転非対称な非球面（いわゆる自由曲面）であり、その面形状は面頂点を原点(O)とするローカルな直交座標系(X,Y,Z)を用いた以下の式(BS)で定義される。回転対称非球面データおよび回転非対称非球面データを他のデータとあわせて示す。ただし、表記の無い項の係数は０であり、すべてのデータに関してE-n＝×10-nである。
X＝(C0・H2)／[1+√(1-ε・C02・H2)]＋Σ[A(i)・Hi]  …(AS)
X＝(C0・H2)／[1+√(1-ε・C02・H2)]＋Σ[G(j,k)・Yj・Zk]  …(BS)
ただし、式(AS),(BS)中、
X：高さHの位置でのX方向の基準面からの変位量（面頂点基準）、
H：X軸に対して垂直な方向の高さ[H=√(Y2+Z2)]、
C0：面頂点での曲率(＋／−はローカルな直交座標系のX軸に対するものであり、正の場合その曲率中心がベクトルVX上の正方向に存在する。C0=1/r)、
ε：２次曲面パラメータ、
A(i)：i次の回転対称非球面係数、
G(j,k)：Yのj次、Zのk次の回転非対称非球面係数、
である。
【００９１】
また、Nは、各光学面の入射側に位置する媒質のｄ線に対する屈折率を指し、N'は、各光学面の射出側に位置する媒質のｄ線に対する屈折率を指している。光学面が反射面の場合、N'の値は負となる。νdは、光学材料のアッベ数である。
【００９２】
また、パネル表示面Ｓｏの画面形状を長方形としたとき、パネル表示面Ｓｏの画面短辺方向（すなわちY方向）の長さをLY、パネル表示面Ｓｏの画面長辺方向（すなわちZ方向）の長さをLZとすると、パネル表示面Ｓｏの画面サイズ(ｍｍ)は、実施例１では、LY＝±2.754，LZ＝±4.892であり、実施例２および３では、LY＝±5.0616，LZ＝±8.892である。また、倍率βは、実施例１では95.03であり、実施例２では75.8673であり、実施例３では69.5349である。また、縦方向（Y方向）のＦナンバーを示すFnoYは、実施例１では2.83であり、実施例２では3.64であり、実施例３では3.70である。さらに、横方向（Z方向）のＦナンバーを示すFnoZは、実施例１では2.81であり、実施例２では3.57であり、実施例３では3.60である。
【００９３】
また、実施例１では、コンストラクションデータの最後に仮想絞りのデータを併せて示す。仮想絞りは円形であり、その座標等を示す。コンストラクションデータで定義される光学系を通過する光束は、パネル表示面Ｓｏから仮想絞りの縁を通過する光束として定義される。実使用時には、主光線が集光する位置近傍に絞りが設置される。
【００９４】
また、実施例２では、ｄ＝６８．９（ｍｍ）であり、ｈ＝７６８．０２（ｍｍ）である。したがって、ｄ／ｈ＝０．０９０となっており、条件式（１）を満足している。さらに、実施例２では、θmax＝７５．９３（度）であり、θmin＝５６．２１（度）である。したがって、θmax−θmin＝１９．７２（度）となっており、条件式（２）も満足している。
【００９５】
一方、実施例３では、ｄ＝４９．８（ｍｍ）であり、ｈ＝７０３．９２（ｍｍ）である。したがって、ｄ／ｈ＝０．０７１となっており、条件式（１）を満足している。さらに、実施例３では、θmax＝６９．９（度）であり、θmin＝４３．６６（度）である。したがって、θmax−θmin＝２６．２４（度）となっており、条件式（２）も満足している。
【００９６】
（実施例１）
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００９７】
Ｓ１〈カバーガラスＣＧの光入射面〉
N = 1.00000
C0= 0.00000000(r=∞)
N'= 1.51872,νd=64.20
T'= 3
【００９８】
Ｓ２〈カバーガラスＣＧの光射出面〉
N = 1.51872,νd=64.20
C0= 0.00000000(r=∞)
N'= 1.00000
【００９９】
Ｓ３〈ミラーＭ１の光反射面〉
［座標］
O  :   66.73100 ,   -6.90541 ,    0.00000
VX : 0.99208944 , 0.12553305 , 0.00000000
VY :-0.12553305 , 0.99208944 , 0.00000000
N = 1.00000
C0=-0.01313440(r=-76.1359)
N'=-1.00000
【０１００】
Ｓ４＄〈レンズＬ１の光入射面〉
［座標］
O  :   28.05700 ,  -19.34990 ,    0.00000
VX :-0.96650383 ,-0.25665219 , 0.00000000
VY :-0.25665219 , 0.96650383 , 0.00000000
N = 1.00000
C0= 0.00000000(r=∞)
［非球面データ］
ε=1.00000000
G( 2, 0)= 0.00132646000
G( 3, 0)= 0.000125132000
G( 4, 0)= 2.76467000E-6
G( 5, 0)= 1.22670000E-6
G( 6, 0)=-1.42702000E-8
G( 7, 0)=-4.35892000E-8
G( 8, 0)=-1.60876000E-9
G( 9, 0)= 4.67737000E-10
G(10, 0)= 3.15496000E-11
G( 0, 2)= 0.00115196000
G( 1, 2)= 8.06295000E-5
G( 2, 2)= 5.97381000E-6
G( 3, 2)= 6.35159000E-6
G( 4, 2)=-1.40423000E-7
G( 5, 2)=-3.84613000E-7
G( 6, 2)=-1.70111000E-8
G( 7, 2)= 6.10786000E-9
G( 8, 2)= 4.79200000E-10
G( 0, 4)= 1.63887000E-6
G( 1, 4)= 2.62343000E-6
G( 2, 4)=-2.41050000E-8
G( 3, 4)=-5.13745000E-7
G( 4, 4)=-4.28034000E-8
G( 5, 4)= 1.60064000E-8
G( 6, 4)= 1.73930000E-9
G( 0, 6)=-7.99639000E-8
G( 1, 6)=-8.50286000E-8
G( 2, 6)=-1.49506000E-8
G( 3, 6)= 8.98419000E-9
G( 4, 6)= 1.56028000E-9
G( 0, 8)= 1.27328000E-9
G( 1, 8)= 7.76564000E-10
G( 2, 8)= 2.66154000E-10
G( 0,10)=-7.25034000E-12
N'= 1.52729,νd=56.38
T'= 2
【０１０１】
Ｓ５〈レンズＬ１の光射出面〉
N = 1.52729,νd=56.38
C0= 0.00000000(r=∞)
N'= 1.00000
【０１０２】
Ｓ６〈ミラーＭ２の光反射面〉
［座標］
O  :   11.91300 ,  -27.21110 ,    0.00000
VX :-0.96949879 , 0.24509608 , 0.00000000
VY : 0.24509608 , 0.96949879 , 0.00000000
N = 1.00000
C0= 0.01786840(r=55.9647)
N'=-1.00000
【０１０３】
Ｓ７＄〈レンズＬ２の光入射面〉
［座標］
O  :   27.83300 ,  -45.03120 ,    0.00000
VX : 0.19647910 ,-0.98050801 , 0.00000000
VY : 0.98050801 , 0.19647910 , 0.00000000
N = 1.00000
C0= 0.00000000(r=∞)
［非球面データ］
ε=1.00000000
G( 2, 0)= 0.00111659000
G( 3, 0)= 1.39428000E-5
G( 4, 0)=-9.22217000E-6
G( 5, 0)= 3.12188000E-7
G( 6, 0)=-6.00244000E-9
G( 7, 0)= 3.93092000E-10
G( 8, 0)=-3.33434000E-11
G( 9, 0)= 5.35985000E-13
G(10, 0)= 5.71208000E-15
G( 0, 2)=-0.000104922000
G( 1, 2)=-8.88877000E-5
G( 2, 2)=-1.26514000E-5
G( 3, 2)= 8.62600000E-7
G( 4, 2)=-4.24585000E-9
G( 5, 2)=-1.55424000E-10
G( 6, 2)=-9.27806000E-11
G( 7, 2)= 5.71962000E-12
G( 8, 2)=-8.84483000E-14
G( 0, 4)= 5.90316000E-7
G( 1, 4)= 5.69680000E-7
G( 2, 4)= 8.24467000E-9
G( 3, 4)=-3.10475000E-9
G( 4, 4)=-2.34340000E-11
G( 5, 4)= 1.35195000E-11
G( 6, 4)=-4.54161000E-13
G( 0, 6)=-5.77230000E-9
G( 1, 6)=-7.35487000E-10
G( 2, 6)=-3.01533000E-11
G( 3, 6)= 8.05603000E-12
G( 4, 6)=-3.75698000E-13
G( 0, 8)= 1.73737000E-11
G( 1, 8)= 4.69614000E-13
G( 2, 8)= 6.74370000E-14
G( 0,10)=-2.33801000E-14
N'= 1.52729,νd=56.38
T'= 3
【０１０４】
Ｓ８〈レンズＬ２の光射出面〉
N = 1.52729,νd=56.38
C0= 0.00000000(r=∞)
N'= 1.00000
【０１０５】
Ｓ９＄〈ミラーＭ３の光反射面〉
［座標］
O  :   68.23100 ,  -76.48330 ,    0.00000
VX : 0.98334518 ,-0.18174776 , 0.00000000
VY : 0.18174776 , 0.98334518 , 0.00000000
N = 1.00000
C0=-0.00366288(r=-273.0092)
［非球面データ］
ε=-21.5073000
G( 2, 0)=-0.000878161000
G( 3, 0)=-3.18630000E-5
G( 4, 0)=-2.53494000E-7
G( 5, 0)= 9.79490000E-10
G( 6, 0)=-2.86615000E-10
G( 7, 0)=-1.63847000E-11
G( 8, 0)=-3.92457000E-13
G( 9, 0)=-4.71822000E-15
G(10, 0)=-2.33479000E-17
G( 0, 2)=-0.00193231000
G( 1, 2)=-4.47720000E-5
G( 2, 2)= 3.86217000E-7
G( 3, 2)= 2.59624000E-8
G( 4, 2)= 9.79306000E-11
G( 5, 2)=-7.48206000E-12
G( 6, 2)=-7.74672000E-14
G( 7, 2)= 1.30923000E-15
G( 8, 2)= 1.99862000E-17
G( 0, 4)= 6.79363000E-7
G( 1, 4)= 1.41819000E-8
G( 2, 4)=-6.15793000E-10
G( 3, 4)=-3.37127000E-11
G( 4, 4)=-5.25839000E-13
G( 5, 4)=-1.37773000E-15
G( 6, 4)= 1.95558000E-17
G( 0, 6)=-8.13949000E-11
G( 1, 6)= 3.33414000E-12
G( 2, 6)= 6.19270000E-13
G( 3, 6)= 2.22238000E-14
G( 4, 6)= 2.33080000E-16
G( 0, 8)= 5.60263000E-14
G( 1, 8)= 1.79605000E-15
G( 2, 8)= 1.49730000E-17
G( 0,10)=-1.23359000E-17
N'=-1.00000
【０１０６】
Ｓ１０＄〈ミラーＭ４の光反射面〉
［座標］
O  :  -12.73800 ,  -97.41020 ,    0.00000
VX :-0.92304666 ,-0.38468800 , 0.00000000
VY :-0.38468800 , 0.92304666 , 0.00000000
N = 1.00000
C0= 0.05630990(r=17.7589)
［非球面データ］
ε=-2.91717000
G( 2, 0)=-0.00728876000
G( 3, 0)= 0.000140657000
G( 4, 0)= 1.50391000E-6
G( 5, 0)= 8.80045000E-9
G( 6, 0)=-6.20290000E-11
G( 7, 0)=-1.91415000E-12
G( 8, 0)= 5.07027000E-15
G( 9, 0)= 4.97902000E-16
G(10, 0)= 3.86965000E-18
G( 0, 2)= 0.00331322000
G( 1, 2)=-4.19539000E-5
G( 2, 2)=-6.25065000E-6
G( 3, 2)=-1.41784000E-7
G( 4, 2)=-9.49099000E-10
G( 5, 2)= 6.61922000E-12
G( 6, 2)= 4.37632000E-14
G( 7, 2)=-1.55322000E-15
G( 8, 2)=-1.40102000E-17
G( 0, 4)=-1.98165000E-6
G( 1, 4)=-3.08305000E-8
G( 2, 4)= 1.49750000E-9
G( 3, 4)= 4.20198000E-11
G( 4, 4)= 7.92015000E-14
G( 5, 4)=-6.28944000E-15
G( 6, 4)=-5.13279000E-17
G( 0, 6)= 6.44830000E-10
G( 1, 6)= 1.34506000E-11
G( 2, 6)=-4.06334000E-13
G( 3, 6)=-1.51590000E-14
G( 4, 6)=-1.06133000E-16
G( 0, 8)=-1.50579000E-13
G( 1, 8)=-3.12475000E-15
G( 2, 8)=-6.04073000E-17
G( 0,10)= 4.60011000E-17
N'=-1.00000
【０１０７】
Ｓ１１〈第１の平面ミラーＭＦ１の光反射面〉
［座標］
O  :   66.15500 , -233.43800 ,    0.00000
VX : 0.98872621 , 0.14973468 , 0.00000000
VY :-0.14973468 , 0.98872621 , 0.00000000
N = 1.00000
C0= 0.00000000(r=∞)
N'=-1.00000
【０１０８】
Ｓ１２〈第２の平面ミラーＭＦ２の光反射面〉
［座標］
O  :  -30.78200 , -503.11200 ,    0.00000
VX :-0.99968436 ,-0.02512327 , 0.00000000
VY :-0.02512327 , 0.99968436 , 0.00000000
N = 1.00000
C0= 0.00000000(r=∞)
N'=-1.00000
【０１０９】
Ｓｉ〈スクリーン投写面〉
［座標］
O  :   91.38568 , -587.86200 ,    0.00000
VX : 0.99968436 , 0.02512327 , 0.00000000
VY : 0.02512327 ,-0.99968436 , 0.00000000
【０１１０】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
【０１１１】
（実施例２）
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.5
【０１１２】
Ｓ１〈カバーガラスＣＧの光入射面〉
N = 1.00000
C0= 0.00000000(r=∞)
N'= 1.51045,νd=61.19
T'= 3
【０１１３】
Ｓ２〈カバーガラスＣＧの光射出面〉
N = 1.51045,νd=61.19
C0= 0.00000000(r=∞)
N'= 1.00000
【０１１４】
Ｓ３＊〈レンズＬ１１の光入射面〉
［座標］
O  :   33.20000 ,    0.37770 ,    0.00000
VX : 0.99970884 ,-0.02412951 , 0.00000000
VY : 0.02412951 , 0.99970884 , 0.00000000
N = 1.00000
C0= 0.01163429(r=85.9528)
［非球面データ］
ε=1.00000000
A( 4)=-3.08945486E-5
A( 6)=-1.69854691E-7
A( 8)= 2.98237817E-9
A(10)=-2.87260782E-11
N'= 1.77064,νd=45.55
T'= 2
【０１１５】
Ｓ４〈レンズＬ１１の光射出面〉
N = 1.77064,νd=45.55
C0= 0.00000000(r=∞)
N'= 1.00000
T'= 0.759492
【０１１６】
Ｓ５〈絞り〉
N = 1.00000
C0= 0.00000000(r=∞)
N'= 1.00000
T'= 3.43812
【０１１７】
Ｓ６〈レンズＬ１２の光入射面〉
N = 1.00000
C0=-0.01612355(r=-62.0211)
N'= 1.78478,νd=26.33
T'= 3
【０１１８】
Ｓ７〈レンズＬ１２の接合面〉
N = 1.78478,νd=26.33
C0= 0.05675606(r=17.6193)
N'= 1.63912,νd=56.10
T'= 4.4604
【０１１９】
Ｓ８〈レンズＬ１２の光射出面〉
N = 1.63912,νd=56.10
C0=-0.02877877(r=-34.7478)
N'= 1.00000
T'= 8.07107
【０１２０】
Ｓ９〈レンズＬ１３の光入射面〉
N = 1.00000
C0= 0.00045619(r=2192.0700)
N'= 1.61398,νd=36.44
T'= 7.9667
【０１２１】
Ｓ１０〈レンズＬ１３の光射出面〉
N = 1.61398,νd=36.44
C0=-0.04527568(r=-22.0869)
N'= 1.00000
T'=30.464
【０１２２】
Ｓ１１〈レンズＬ１４の光入射面〉
N = 1.00000
C0=-0.05191988(r=-19.2604)
N'= 1.81359,νd=36.44
T'= 2.5
【０１２３】
Ｓ１２〈レンズＬ１４の光射出面〉
N = 1.81359,νd=36.44
C0=-0.02453932(r=-40.7509)
N'= 1.00000
T'=14.0521
【０１２４】
Ｓ１３＄〈レンズＬ１５の光入射面〉
N = 1.00000
C0=-0.00975490(r=-102.5126)
［非球面データ］
ε=1.00000000
G( 2, 0)=-0.000704919616
G( 3, 0)= 0.000165579062
G( 4, 0)=-1.06291352E-5
G( 5, 0)= 2.62435599E-7
G( 6, 0)= 1.14866774E-8
G( 7, 0)=-5.28576420E-10
G( 8, 0)=-4.20172500E-11
G( 9, 0)= 2.67353071E-12
G(10, 0)=-3.91365948E-14
G( 0, 2)=-0.000266039134
G( 1, 2)= 0.000138335742
G( 2, 2)=-8.82980350E-6
G( 3, 2)=-3.68763764E-7
G( 4, 2)= 7.77341670E-8
G( 5, 2)=-2.04184030E-9
G( 6, 2)=-2.03057180E-10
G( 7, 2)= 1.27216128E-11
G( 8, 2)=-1.97410880E-13
G( 0, 4)= 1.78366041E-6
G( 1, 4)=-7.30246855E-7
G( 2, 4)= 8.73974571E-8
G( 3, 4)=-3.42298694E-9
G( 4, 4)=-1.35285070E-10
G( 5, 4)= 1.32326360E-11
G( 6, 4)=-2.42765133E-13
G( 0, 6)=-3.61547265E-9
G( 1, 6)= 1.51916107E-9
G( 2, 6)=-1.92236195E-10
G( 3, 6)= 1.07974316E-11
G( 4, 6)=-2.18196579E-13
G( 0, 8)=-4.52104347E-13
G( 1, 8)=-4.89544026E-13
G( 2, 8)= 2.14785190E-14
G( 0,10)= 4.78735733E-15
N'= 1.52729,νd=56.38
T'= 3.4
【０１２５】
Ｓ１４〈レンズＬ１５の光射出面〉
N = 1.52729,νd=56.38
C0=-0.01007753(r=-99.2307)
N'= 1.00000
【０１２６】
Ｓ１５＊〈ミラーＭ１１の光反射面〉
［座標］
O  :  152.55096 ,  -10.35426 ,    0.00000
VX : 0.92663209 ,-0.37596938 , 0.00000000
VY : 0.37596938 , 0.92663209 , 0.00000000
N = 1.00000
C0=-0.00483113(r=-206.9911)
［非球面データ］
ε=-2.52952291
A( 4)= 9.55990507E-7
A( 6)=-2.29605438E-10
A( 8)= 2.79383985E-14
A(10)=-1.35003718E-18
N'=-1.00000
【０１２７】
Ｓ１６＄〈ミラーＭ１２の光反射面〉
［座標］
O  :  100.71219 ,   31.29259 ,    0.00000
VX :-0.78457167 , 0.62003814 , 0.00000000
VY : 0.62003814 , 0.78457167 , 0.00000000
N = 1.00000
C0= 0.04364309(r=22.9131)
［非球面データ］
ε=-1.74036193
G( 2, 0)=-0.00118376352
G( 3, 0)=-7.69008628E-6
G( 4, 0)= 4.06090411E-8
G( 5, 0)= 2.24870471E-10
G( 6, 0)=-5.45283166E-13
G( 7, 0)=-7.74976957E-15
G( 8, 0)= 7.99738170E-18
G( 9, 0)=-3.57661273E-20
G(10, 0)= 6.22764864E-22
G( 0, 2)=-0.00147418107
G( 1, 2)=-2.44420714E-6
G( 2, 2)=-1.44576907E-8
G( 3, 2)= 9.32083655E-10
G( 4, 2)=-1.23497312E-12
G( 5, 2)=-3.41409000E-14
G( 6, 2)= 3.36355244E-17
G( 7, 2)=-3.25750939E-19
G( 8, 2)= 5.23694650E-21
G( 0, 4)= 3.15421469E-9
G( 1, 4)= 6.34627255E-10
G( 2, 4)=-5.28979445E-12
G( 3, 4)=-4.39013091E-14
G( 4, 4)= 3.47237906E-16
G( 5, 4)= 1.53887334E-18
G( 6, 4)=-9.79397825E-21
G( 0, 6)=-8.50955294E-12
G( 1, 6)= 1.47647924E-13
G( 2, 6)=-2.92124183E-16
G( 3, 6)=-1.12156633E-18
G( 4, 6)=-9.86954578E-21
G( 0, 8)= 1.24003124E-15
G( 1, 8)=-3.13508404E-17
G( 2, 8)= 1.50816722E-19
G( 0,10)= 2.89628271E-20
N'=-1.00000
【０１２８】
Ｓ１７〈第１の平面ミラーＭＦ１の光反射面〉
［座標］
O  :  238.38001 ,  164.43476 ,    0.00000
VX : 0.83759424 ,-0.54629285 , 0.00000000
VY : 0.54629285 , 0.83759424 , 0.00000000
N = 1.00000
C0= 0.00000000(r=∞)
N'=-1.00000
【０１２９】
Ｓ１８〈第２の平面ミラーＭＦ２の光反射面〉
［座標］
O  :  286.23334 ,  464.77735 ,    0.00000
VX :-0.87063163 , 0.49193552 , 0.00000000
VY : 0.49193552 , 0.87063163 , 0.00000000
N = 1.00000
C0= 0.00000000(r=∞)
N'=-1.00000
【０１３０】
Ｓｉ〈スクリーン投写面〉
［座標］
O  :  -13.61638 , -727.63091 ,    0.00000
VX :-0.99961537 ,-0.02773278 , 0.00000000
VY : 0.02773278 ,-0.99961537 , 0.00000000
【０１３１】
（実施例３）
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.5
【０１３２】
Ｓ１〈カバーガラスＣＧの光入射面〉
N = 1.00000
C0= 0.00000000(r=∞)
N'= 1.51045,νd=61.19
T'= 3
【０１３３】
Ｓ２〈カバーガラスＣＧの光射出面〉
N = 1.51045,νd=61.19
C0= 0.00000000(r=∞)
N'= 1.00000
【０１３４】
Ｓ３＊〈レンズＬ２１の光入射面〉
［座標］
O  :   33.20000 ,    0.52376 ,    0.00000
VX : 0.99974238 ,-0.02269753 , 0.00000000
VY : 0.02269753 , 0.99974238 , 0.00000000
N = 1.00000
C0=-0.03120243(r=-32.0488)
［非球面データ］
ε=1.00000000
A( 4)=-5.90605911E-5
A( 6)=-2.71749917E-7
A( 8)= 4.09983339E-9
A(10)=-5.57568275E-11
N'= 1.77638,νd=27.20
T'= 2.0035
【０１３５】
Ｓ４〈レンズＬ２１の光射出面〉
N = 1.77638,νd=27.20
C0= 0.00000000(r=∞)
N'= 1.00000
T'= 0
【０１３６】
Ｓ５〈絞り〉
N = 1.00000
C0= 0.00000000(r=∞)
N'= 1.00000
T'= 1.31148
【０１３７】
Ｓ６〈レンズＬ２２の光入射面〉
N = 1.00000
C0= 0.01562647(r=63.9940)
N'= 1.76109,νd=27.18
T'= 1.20058
【０１３８】
Ｓ７〈レンズＬ２２の接合面〉
N = 1.76109,νd=27.18
C0= 0.04524503(r=22.1019)
N'= 1.75491,νd=52.14
T'= 3.66711
【０１３９】
Ｓ８〈レンズＬ２２の光射出面〉
N = 1.75491,νd=52.14
C0=-0.05766619(r=-17.3412)
N'= 1.00000
T'= 0.298118
【０１４０】
Ｓ９〈レンズＬ２３の光入射面〉
N = 1.00000
C0=-0.02841175(r=-35.1967)
N'= 1.61518,νd=36.31
T'= 3.84278
【０１４１】
Ｓ１０〈レンズＬ２３の接合面〉
N = 1.61518,νd=36.31
C0=-0.09316716(r=-10.7334)
N'= 1.79321,νd=26.06
T'= 1.8
【０１４２】
Ｓ１１〈レンズＬ２３の光射出面〉
N = 1.79321,νd=26.06
C0= 0.00952410(r=104.9968)
N'= 1.00000
T'= 9.15513
【０１４３】
Ｓ１２〈レンズＬ２４の光入射面〉
N = 1.00000
C0=-0.01079619(r=-92.6253)
N'= 1.80927,νd=25.56
T'= 7.10731
【０１４４】
Ｓ１３〈レンズＬ２４の光射出面〉
N = 1.80927,νd=25.56
C0=-0.04275071(r=-23.3914)
N'= 1.00000
T'=13.3791
【０１４５】
Ｓ１４〈レンズＬ２５の光入射面〉
N = 1.00000
C0= 0.01077861(r=92.7764)
N'= 1.80681,νd=28.16
T'= 5.2
【０１４６】
Ｓ１５〈レンズＬ２５の光射出面〉
N = 1.80681,νd=28.16
C0=-0.00500527(r=-199.7893)
N'= 1.00000
T'=13.0492
【０１４７】
Ｓ１６〈レンズＬ２６の光入射面〉
N = 1.00000
C0= 0.00038365(r=2606.5318)
N'= 1.75386,νd=52.25
T'= 7.68826
【０１４８】
Ｓ１７〈レンズＬ２６の接合面〉
N = 1.75386,νd=52.25
C0=-0.03411557(r=-29.3121)
N'= 1.77159,νd=26.79
T'= 2.94078
【０１４９】
Ｓ１８〈レンズＬ２６の光射出面〉
N = 1.77159,νd=26.79
C0=0.01860106(r=53.7604)
N'=1.00000
T'=12.6573
【０１５０】
Ｓ１９〈レンズＬ２７の光入射面〉
N = 1.00000
C0=-0.04776031(r=-20.9379)
N'= 1.79171,νd=26.10
T'= 3
【０１５１】
Ｓ２０〈レンズＬ２７の光射出面〉
N = 1.79171,νd=26.10
C0=-0.02811823(r=-35.5641)
N'= 1.00000
T'=30.8302
【０１５２】
Ｓ２１＄〈レンズＬ２８の光入射面〉
N = 1.00000
C0=-0.02932993(r=-34.0949)
［非球面データ］
ε=1.00000000
G( 2, 0)= 0.000531360278
G( 3, 0)= 2.88095919E-5
G( 4, 0)=-3.47968400E-6
G( 5, 0)= 3.59230926E-8
G( 6, 0)= 1.45515392E-9
G( 7, 0)=-4.08886074E-11
G( 8, 0)=-1.53652231E-13
G( 9, 0)= 7.71773568E-15
G(10, 0)=-1.59895780E-16
G( 0, 2)= 0.000588508687
G( 1, 2)= 2.54697110E-5
G( 2, 2)=-3.09115193E-6
G( 3, 2)=-1.49555805E-7
G( 4, 2)= 1.02398516E-8
G( 5, 2)=-1.35351791E-10
G( 6, 2)=-1.24601650E-12
G( 7, 2)=-5.07736637E-14
G( 8, 2)= 1.00923527E-15
G( 0, 4)=-6.12497020E-7
G( 1, 4)=-1.03030103E-7
G( 2, 4)= 6.39027845E-9
G( 3, 4)= 4.81182122E-11
G( 4, 4)=-7.09442936E-12
G( 5, 4)=-1.44507262E-13
G( 6, 4)= 5.86327137E-15
G( 0, 6)= 5.03036466E-10
G( 1, 6)= 1.18773933E-10
G( 2, 6)=-9.97153071E-12
G( 3, 6)= 1.12788823E-13
G( 4, 6)= 2.34108101E-15
G( 0, 8)=-1.65200776E-12
G( 1, 8)=-5.46121788E-14
G( 2, 8)= 4.34100363E-15
G( 0,10)= 1.20305385E-15
N'= 1.52729,νd=56.38
T'= 5
【０１５３】
Ｓ２２〈レンズＬ２８の光射出面〉
N = 1.52729,νd=56.38
C0=-0.02660134(r=-37.5921)
N'= 1.00000
【０１５４】
Ｓ２３＊〈ミラーＭ２１の光反射面〉
［座標］
O  :  295.52060 ,  -13.46506 ,    0.00000
VX : 0.99861593 ,-0.05259487 , 0.00000000
VY : 0.05259487 , 0.99861593 , 0.00000000
N = 1.00000
C0= 0.01236714(r=80.8595)
［非球面データ］
ε=-4.59296886
A( 4)=-2.16422720E-8
A( 6)= 1.00518643E-12
A( 8)=-2.98750271E-17
A(10)= 5.04219213E-22
A(12)=-3.61772802E-27
N'=-1.00000
【０１５５】
Ｓ２４〈第１の平面ミラーＭＦ１の光反射面〉
［座標］
O  :  257.41195 ,  191.61954 ,    0.00000
VX :-0.97753162 , 0.21078883 , 0.00000000
VY : 0.21078883 , 0.97753162 , 0.00000000
N = 1.00000
C0= 0.00000000(r=∞)
N'=-1.00000
【０１５６】
Ｓ２５〈第２の平面ミラーＭＦ２の光反射面〉
［座標］
O  :  463.30474 ,  360.85577 ,    0.00000
VX : 0.93411159 ,-0.35698114 , 0.00000000
VY : 0.35698114 , 0.93411159 , 0.00000000
N = 1.00000
C0= 0.00000000(r=∞)
N'=-1.00000
【０１５７】
Ｓｉ〈スクリーン投写面〉
［座標］
O  :  412.55325 ,  690.26377 ,    0.00000
VX :-0.93411159 , 0.35698114 , 0.00000000
VY :-0.35698114 ,-0.93411159 , 0.00000000
【０１５８】
なお、本実施形態では、光変調素子１側を縮小側とし、スクリーン４側を拡大側として、スクリーンに斜め方向から拡大投写を行う画像投写装置について説明したが、遮光板５・６を用いる本実施形態の構成は、縮小投影を行う画像読取装置に適用することも可能である。この場合は、光変調素子１のパネル表示面を画像読み取り用の受光素子（例えばＣＣＤ：Charge Coupled Device）の受光面とし、スクリーン４の投写面を読み取り画像の画像面（例えば原稿面）とすればよい。
【０１５９】
また、本実施形態の投写光学系は、反射型光学素子と透過型光学素子とで構成されており、反射型光学素子としてミラーを用い、透過型光学素子としてレンズを用いている。しかし、反射型光学素子としては、ミラーに限らず、例えば曲面反射面や平面反射面を有するプリズムを用いてもよい。また、複数の反射面を有する１つまたは複数の反射型光学素子を用いてもよい。さらには、反射面、屈折面、回折面を有する光学素子や、それら面の組み合わせからなる光学素子を用いてもよい。
【０１６０】
一方、本実施形態では、透過型光学素子として、曲面屈折面を有する屈折レンズを用いているが、用いる透過型光学素子は入射光線を屈折作用により偏向させる屈折型レンズ（異なる屈折率を有する媒質同士の界面で偏向が行われるタイプのレンズ）には限らない。例えば、回折作用により入射光線を偏向させる回折型レンズ、回折作用と屈折作用との組み合わせで入射光線を偏向させる屈折・回折ハイブリッド型レンズ、入射光線を媒質内の屈折率分布により偏向させる屈折率分布型レンズ等を用いてもよい。
【図面の簡単な説明】
【０１６１】
【図１】本発明の実施の一形態に係る画像投写装置の概略の構成を示す断面図である。
【図２】上記画像投写装置において、光路を展開したときの各遮光板の配置を模式的に示す説明図である。
【図３】上記画像投写装置において、一方の遮光板を省略した構成を示す断面図である。
【図４】上記画像投写装置において、他方の遮光板を省略した構成を示す断面図である。
【図５】他の投写光学系を用いた画像投写装置の概略の構成を示す断面図である。
【図６】さらに他の投写光学系を用いた画像投写装置の概略の構成を示す断面図である。
【図７】従来の画像投影装置の概略の構成を示す断面図である。
【符号の説明】
【０１６２】
２    投写光学系
４    スクリーン
５    遮光板（遮光部材）
６    遮光板（遮光部材）
１２    投写光学系
２２    投写光学系
Ｍ４    ミラー（反射型光学素子）
Ｍ１２  ミラー（反射型光学素子）
Ｍ２１  ミラー（反射型光学素子）
ＭＦ１  第１の平面ミラー
ＭＦ２  第２の平面ミラー
【図１】
2006276336.tif 000003
【図２】
2006276336.tif 000004
【図３】
2006276336.tif 000005
【図４】
2006276336.tif 000006
【図５】
2006276336.tif 000007
【図６】
2006276336.tif 000008
【図７】
2006276336.tif 000009